(57)【要約】【課題】結露水が電装品ユニットにかかるのを防止することができる冷凍装置を提供する。【解決手段】電装品ユニット４０と、配管７と、貼付材５１とを備える。配管７は、電装品ユニット４０の上方に配置され、電装品ユニット４０に対向する部分である第１部８ａと、第１部８ａの近傍部分である第２部８ｂとを含む。貼付材５１は、開口５２が形成され、第２部８ｂに開口５２が位置するように配管７に貼り付けられ、配管７を伝う結露水の第２部８ｂ側から第１部８ａ側へと向かう第１方向の上流側の側面５１ａと、開口５２を形成する内側面５２ａとが結露水に対する壁となる。【選択図】図３
2010276314.tif 000002
【特許請求の範囲】
【請求項１】
電装品ユニット（４０）と、
前記電装品ユニット（４０）の上方に配置され、前記電装品ユニット（４０）に対向する部分である第１部（８ａ）と、前記第１部（８ａ）の近傍部分である第２部（８ｂ）とを含む配管（７）と、
開口（５２）が形成され、前記第２部（８ｂ）に前記開口（５２）が位置するように前記配管（７）に貼り付けられ、前記配管（７）を伝う結露水の前記第２部（８ｂ）側から前記第１部（８ａ）側へと向かう第１方向の上流側の側面（５１ａ）と、前記開口（５２）を形成する内側面（５２ａ）とが前記結露水に対する壁となる貼付材（５１）と、
を備える冷凍装置（１）。
【請求項２】
前記開口（５２）は、前記第１方向に直交する方向に細長く延びる、
請求項１に記載の冷凍装置（１）。
【請求項３】
前記開口（５２）の前記第１方向の幅（Ｗ）は、３〜６ｍｍである、
請求項１または２に記載の冷凍装置（１）。
【請求項４】
前記貼付材（５１）の前記第１方向の上流側の側面（５１ａ）から前記開口（５２）までの長さ（Ｌ１）は、３〜６ｍｍである、
請求項１〜３のいずれかに記載の冷凍装置（１）。
【請求項５】
前記貼付材（５１）の厚みは、３ｍｍ以上である、
請求項１〜４のいずれかに記載の冷凍装置（１）。
【請求項６】
前記配管（７）の、前記第１部（８ａ）および前記第２部（８ｂ）と、水平面とのなす角度は、４５°以下である、
請求項１〜５のいずれかに記載の冷凍装置（１）。
【請求項７】
前記開口（５２）は、前記貼付材（５１）に１または複数形成されている、
請求項１〜６のいずれかに記載の冷凍装置（１）。
【発明の詳細な説明】
【技術分野】
【０００１】
本発明は、冷凍装置に関する。
【背景技術】
【０００２】
従来の冷凍装置には、ケーシングの内部が鉛直方向に延びる仕切板によって送風機室と機械室とに分割される構造をもつ室外ユニットを有するものが存在する。そして、例えば、特許文献１（特開２００８−１３８９４１号公報）のように、室外ユニットの機械室の内部には、電装品が実装された基板や各種配線が接続される端子台を有する電装品ユニットが配置されることが多い。
【発明の概要】
【発明が解決しようとする課題】
【０００３】
特許文献１に記載のような冷凍装置の室外ユニットの機械室において、電装品ユニットの上方に冷媒配管が配置されることがある。そして、この冷媒配管の上方や近傍には、外周空気よりも温度が低いために外周部分に結露が生じる配管や機器（ここでは、以下、結露発生部品という）が配置される場合がある。このとき、冷媒配管自体の外面には結露水が発生しなくても、結露発生部品で生じた結露水の落下等により結露水が冷媒配管の外面部分を伝う場合があると考えられる。
【０００４】
しかし、結露水が冷媒配管の外面を伝っていき、電装品ユニットに落下することを想定すると、配管の外面部分を伝う結露水を電装品ユニットにかからないようにすることが望ましい。
【０００５】
そこで、本発明の課題は、結露水が電装品ユニットにかかるのを防止することができる冷凍装置を提供することにある。
【課題を解決するための手段】
【０００６】
第１発明に係る冷凍装置は、電装品ユニットと、配管と、貼付材とを備える。配管は、電装品ユニットの上方に配置され、電装品ユニットに対向する部分である第１部と、第１部の近傍部分である第２部とを含む。貼付材は、開口が形成され、第２部に開口が位置するように配管に貼り付けられ、配管を伝う結露水の第２部側から第１部側へと向かう第１方向の上流側の側面と、開口を形成する内側面とが結露水に対する壁となる。
【０００７】
ここで、冷凍装置は、例えば、空調機である。また、ここで、電装品ユニットの上方とは、電装品ユニットの斜め上方も含まれる。
【０００８】
第１発明に係る冷凍装置では、第２部に開口が位置するように貼付材が配管に貼り付けられることによって、貼付材の第１方向の上流側の側面と、開口を形成する内側面とが、配管を伝う結露水に対する防壁となる。これにより、まず、貼付材の第１方向の上流側の側面で結露水の流速を低下させることができる。そして、結露水の流速を低下させることで貼付材の第１方向の上流側の側面の近傍で結露水を溜めることができる。よって、その溜まった結露水をその貼付材の第１方向の上流側の側面の近傍から下方へと導くことができる。また、もし、結露水の一部が貼付材の第１方向の上流側の側面の近傍を越えて第１方向の下流側へと流れたとしても、開口を形成する内側面の近傍で結露水の流速を低下させることができる。これにより、開口を形成する内側面の近傍で結露水を溜めることができ、この溜まった結露水を、開口を形成する内側面の近傍から下方へと導くことができる。したがって、結露水を電装品ユニットにかからないようにすることができる。
【０００９】
第２発明に係る冷凍装置は、第１発明に係る冷凍装置であって、開口は、第１方向に直交する方向に細長く延びる。
【００１０】
なお、開口が位置する場所は、第１部から少なくとも２〜３ｍｍ離れていることが好ましい。
【００１１】
第２発明に係る冷凍装置では、もし、結露水が、貼付材の第１方向の上流側の側面を越えて第１方向の下流側へと流れたとしても、その結露水の流速が貼付財の第１方向の上流側の側面に当たる結露水のような流速に再び戻る前に阻止することができる。
【００１２】
第３発明に係る冷凍装置は、第１発明または第２発明に係る冷凍装置であって、開口の第１方向の幅は、３〜６ｍｍである。
【００１３】
第３発明に係る冷凍装置では、開口の第１方向の幅が３〜６ｍｍであることにより、もし、結露水が、貼付材の第１方向の上流側の側面を越えて第１方向の下流側へと流れたとしても、その結露水の流速が貼付財の第１方向の上流側の側面に当たる結露水のような流速に再び戻る前に阻止することができる。また、結露水が開口を形成する内側面を越えて第１方向の下流側へと流れることを防止している。
【００１４】
第４発明に係る冷凍装置は、第１発明〜第３発明のいずれかに係る冷凍装置であって、貼付材の第１方向の上流側の側面から開口までの長さは、３〜６ｍｍである。
【００１５】
第４発明に係る冷凍装置では、貼付材の第１方向の上流側の側面から開口までの長さが３〜６ｍｍであることにより、貼付材の第１方向の上流側の側面に当たる結露水がそのまま第１方向の下流側へと流れることを防止することができる。また、貼付材の第１方向の上流側の側面の近傍で生じる、結露水の水溜りと、開口を形成する内側面の近傍で生じる、結露水の水溜りとが結合しにくくなっている。これにより、結露水が開口を形成する内側面を乗り越えて第１方向の下流側へと流れることを防止している。
【００１６】
第５発明に係る冷凍装置は、第１発明〜第４発明のいずれかに係る冷凍装置であって、貼付材の厚みは、３ｍｍ以上である。
【００１７】
第５発明に係る冷凍装置では、貼付材の厚みが３ｍｍ以上であることにより、結露水が電装品ユニット側へと流れないようにする防壁としての効果が強まる。
【００１８】
第６発明に係る冷凍装置は、第１発明〜第５発明のいずれかに係る冷凍装置であって、配管の第１部および第２部と、水平面とのなす角度は、４５°以下である。
【００１９】
第６発明に係る冷凍装置では、配管の第１部および第２部と、水平面とのなす角度が４５°以下であれば、貼付材の第１方向の上流側の側面と、開口を形成する内側面とが結露水に対する壁となって結露水を電装品ユニットにかかりにくくすることができることを確認している。
【００２０】
第７発明に係る冷凍装置は、第１発明〜第６発明のいずれかに係る冷凍装置であって、開口は、貼付材に１または複数形成されている。
【００２１】
第７発明に係る冷凍装置では、貼付材に開口が形成されていることによって、貼付材の第１方向の上流側の側面と、開口を形成する内側面とが、結露水が電装品ユニット側へと流れることを防止する２つの壁となっている。また、特に、貼付材に開口が複数形成されている場合は、結露水が電装品ユニット側へと流れることを防止する壁が増えることになるので、より効果が高まる。
【発明の効果】
【００２２】
第１発明に係る冷凍装置では、第２部に開口が位置するように貼付材が配管に貼り付けられることによって、貼付材の第１方向の上流側の側面と、開口を形成する内側面とが、配管を伝う結露水に対する防壁となる。これにより、まず、貼付材の第１方向の上流側の側面で結露水の流速を低下させることができる。そして、結露水の流速を低下させることで貼付材の第１方向の上流側の側面の近傍で結露水を溜めることができる。よって、その溜まった結露水をその貼付材の第１方向の上流側の側面の近傍から下方へと導くことができる。また、もし、結露水の一部が貼付材の第１方向の上流側の側面の近傍を越えて第１方向の下流側へと流れたとしても、開口を形成する内側面の近傍で結露水の流速を低下させることができる。これにより、開口を形成する内側面の近傍で結露水を溜めることができ、この溜まった結露水を、開口を形成する内側面の近傍から下方へと導くことができる。したがって、結露水を電装品ユニットにかからないようにすることができる。
【００２３】
第２発明に係る冷凍装置では、もし、結露水が、貼付材の第１方向の上流側の側面を越えて第１方向の下流側へと流れたとしても、その結露水の流速が貼付財の第１方向の上流側の側面に当たる結露水のような流速に再び戻る前に阻止することができる。
【００２４】
第３発明に係る冷凍装置では、開口の第１方向の幅が３〜６ｍｍであることにより、もし、結露水が、貼付材の第１方向の上流側の側面を越えて第１方向の下流側へと流れたとしても、その結露水の流速が貼付財の第１方向の上流側の側面に当たる結露水のような流速に再び戻る前に阻止することができる。また、結露水が開口を形成する内側面を越えて第１方向の下流側へと流れることを防止している。
【００２５】
第４発明に係る冷凍装置では、貼付材の第１方向の上流側の側面から開口までの長さが３〜６ｍｍであることにより、貼付材の第１方向の上流側の側面に当たる結露水がそのまま第１方向の下流側へと流れることを防止することができる。また、貼付材の第１方向の上流側の側面の近傍で生じる、結露水の水溜りと、開口を形成する内側面の近傍で生じる、結露水の水溜りとが結合しにくくなっている。これにより、結露水が開口を形成する内側面を乗り越えて第１方向の下流側へと流れることを防止している。
【００２６】
第５発明に係る冷凍装置では、貼付材の厚みが３ｍｍ以上であることにより、結露水を電装品ユニット側へと流れないように防止する防壁としての効果が強まる。
【００２７】
第６発明に係る冷凍装置では、配管の第１部および第２部と、水平面とのなす角度が４５°以下であれば、貼付材の第１方向の上流側の側面と、開口を形成する内側面とが結露水に対する壁となって結露水を電装品ユニットにかかりにくくすることができることを確認している。
【００２８】
第７発明に係る冷凍装置では、貼付材に開口が形成されていることによって、貼付材の第１方向の上流側の側面と、開口を形成する内側面とが、結露水が電装品ユニット側へと流れることを防止する２つの壁となっている。また、特に、貼付材に開口が複数形成されている場合は、結露水が電装品ユニット側へと流れることを防止する壁が増えることになるので、より効果が高まる。
【図面の簡単な説明】
【００２９】
【図１】空調機の冷媒回路の系統図。
【図２】空調機の室外ユニットの斜視図。
【図３】貼付材が貼り付けられた状態の冷媒配管の模式図。
【図４】貼付材の平面図。
【図５】貼付材が貼り付けられた状態の冷媒配管の右側面視図。
【図６】貼付材が貼り付けられた状態の冷媒配管において、結露発生配管からの結露水の流れを示すための図。
【図７】貼付材が貼り付けられた状態の冷媒配管において、湾曲部から貼付材の右側面の近傍までの結露水の流れを示すための図６の拡大図。
【図８】貼付材が貼り付けられた状態の冷媒配管において、水平部から、開口を形成する左側面の近傍までの結露水の流れを示すための図６の拡大図。
【図９】変形例（H）に係る、貼付材が貼り付けられた状態の冷媒配管の模式図。
【発明を実施するための形態】
【００３０】
以下、図面を参照しながら、本発明の実施形態について説明する。
【００３１】
なお、以下の実施形態は、本発明の具体例であって、本発明の技術的範囲を限定するものではない。
【００３２】
＜空調機１の全体構成＞
まず、空調機１の全体構成について説明する。
【００３３】
空調機１は、蒸気圧縮式の冷凍サイクル運転を行うことによって、ビル等の室内の冷暖房に使用される機器である。
【００３４】
空調機１の冷媒回路は、図１に示すように、主として、室内ユニット４内に位置する室内熱交換器４５、室外ユニット２内に位置する圧縮機２１、アキュムレータ２２、四路切換弁２３、膨張弁２４および室外熱交換器２５により構成される（ここに挙げた空調機１の冷媒回路を構成する部品を冷媒回路構成部品という）。圧縮機２１は、運転容量を可変することが可能である。アキュムレータ２２は、室内ユニット４の運転負荷の変動等に応じて冷媒回路内に発生する余剰冷媒を溜めることが可能な容器であり、圧縮機２１の吸入側に接続される。四路切換弁２３は、冷媒の流れの方向を切り換えるための弁であり、圧縮機２１の吐出側に接続される。室外熱交換器２５は、伝熱管と多数のフィンとにより構成され、四路切換弁２３に接続される。膨張弁２４は、冷媒回路内を流れる冷媒の流量の調節を行い、室外熱交換器２５に接続される電動膨張弁である。膨張弁２４は、液側閉鎖弁２７を介して液側冷媒連絡配管５に接続されており、この液側冷媒連絡配管５を介して室内熱交換器４５の一端と接続される。また、四路切換弁２３は、ガス側閉鎖弁２８を介してガス側冷媒連絡配管６に接続されており、このガス側冷媒連絡配管６を介して室内熱交換器４５の他端と接続されている。
【００３５】
以下、空調機１の室外ユニット２について詳述する。
【００３６】
＜空調機１の室外ユニット２の構成＞
図２は、空調機１の室外ユニット２の斜視図である。以下の説明において、「上」、「下」、「左」、「右」、「正面」、「背面」等の方向を示す表現を用いているが、これらは、特にことわりのない限り、図２に示される室外ユニット２を空気流の下流側から見た場合の方向（室外ユニット２を正面側から見た場合の方向）を意味する。
【００３７】
室外ユニット２は、空気調和を行う対象空間である居室の外部に設置されるものであり、室内の壁面等に取り付けられている室内ユニット４と液側冷媒連絡配管５およびガス側冷媒連絡配管６を介して接続されている。室外ユニット２は、主として、ケーシング２０と、冷媒回路構成部品と、ファン２６ａ、２６ｂ（図１を参照）と、電装品ユニット４０とを有している。
【００３８】
（ケーシング２０）
ケーシング２０は、天板部材、側板部材および底板部材などの板金や樹脂部材によって形成される。ケーシング２０の内部は、図２に示すように、ケーシング２０の底板部材から天板部材にかけて上下方向に延びる仕切板２９によって、送風機室Ｓ１と、機械室Ｓ２とに分割されている。なお、送風機室Ｓ１には、室外熱交換器２５およびファン２６ａ、２６ｂが配置され、機械室Ｓ２には、圧縮機２１、アキュムレータ２２、四路切換弁２３、膨張弁２４、電装品ユニット４０等が配置されている。
【００３９】
（ファン２６ａ、２６ｂ）
ファン２６ａ、２６ｂは、送風機室Ｓ１内の空気を室外ユニット２の外部に送るためのものであって、ファンモータ（図示せず）によって駆動される。
【００４０】
（電装品ユニット４０）
電装品ユニット４０は、室外ユニット２内の機械室Ｓ２に配置され、圧縮機２１の上方に配置される。電装品ユニット４０には、圧縮機モータやファンモータ等の回転数を制御するためのインバータ制御素子等の電装品が実装された制御基板や運転制御を行うためのマイクロコンピュータ等の電装品が実装された制御基板が収容されている。これらの制御基板は、室外ユニット２全体の運転の制御を行う室外制御部を構成している。なお、この室外制御部は、室内ユニット４を構成する各部の動作を制御する室内制御部と互いに制御信号等のやり取りを行うことができる。そして、室外制御部と室内制御部とから構成される制御部によって、空調機１の運転が制御される。
【００４１】
ここで、電装品ユニット４０の上方であって背面側（すなわち、電装品ユニット４０の斜め上方）には、冷媒配管７が位置している。以下、冷媒配管７について説明する。
【００４２】
＜冷媒配管７の構成＞
図１の太線に示すように、冷媒配管７は、四路切換弁２３と、圧縮機２１とを接続する配管である。冷媒配管７は、図３に示すように、電装品ユニット４０に対向する部分である第１部８ａや第１部８ａの右側の近傍部分である第２部８ｂを含んだ、水平方向に延びる水平部９と、水平部９の右端から湾曲するように上方に延びる湾曲部１０とを有する。
【００４３】
ここで、第１部８ａおよび第２部８ｂは、冷媒配管７の下部に位置する。具体的には、第１部８ａは、電装品ユニット４０が冷媒配管７の真下に位置すると仮定したときの、冷媒配管７の電装品ユニット４０の平面視において見える部分に対向する部分である。また、第１部８ａと第２部８ｂとは、少なくとも２〜３ｍｍ離れており、第２部８ｂは、第１部８ａから右に１００ｍｍの位置までを表す。
【００４４】
そして、空調機１の運転モードが冷房運転および暖房運転の場合、冷媒配管７には、圧縮機２１で圧縮された高温・高圧のガス冷媒が流れる。
【００４５】
ここで、図１および図６に示すように、冷媒配管７の湾曲部１０の上方には、外周空気よりも温度が低いために外部分に結露が発生する配管（以下、結露発生配管３０という）が配置されている。このため、結露発生配管３０で生じた結露水は、冷媒配管７の湾曲部１０に落下して、湾曲部１０の外面を伝って左方へと流れていくことがある。冷媒配管７は、電装品ユニット４０の背面側の上方に位置しているが、もし、第１部まで結露水が流れ、そこから下方に落ちていく際に、結露水がはねる等する場合を考えると、結露水が電装品ユニットにかからないように防止することが望ましい。
【００４６】
そこで、冷媒配管７の下部には、図３や図５に示すように、その外周に沿うように、貼付材５１が貼り付けられている。以下、貼付材５１について説明する。なお、以下の説明において、結露水の第２部８ｂ側から第１部８ａ側へと向かう方向を第１方向という。
【００４７】
＜貼付材５１の構成＞
貼付材５１は、図４に示すように、略直方形状を有しており、耐熱用の接着剤によって冷媒配管７に貼り付けられるものである。貼付材５１は、ポリエチレンから形成されており、貼付材５１の厚みは、３ｍｍである。
【００４８】
また、貼付材５１には、略直方形状の開口５２が形成されている。この開口５２は、図４の平面視において、貼付材５１の中央部よりも右寄りの部分に位置し、上下方向に細長く延びている。図４の平面視において、開口５２の左右方向の幅Ｗは、３〜４ｍｍである。貼付材５１の右側面５１ａから開口５２を形成する右側面５２ｂまでの長さＬ１は、５ｍｍである（なお、以下の説明において、貼付材５１の右端から開口５２を形成する右側面５２ｂにかかる部分を右開口形成部５１ｂといい、開口５２を形成する左側面５２ａから貼付材５１の左端にかかる部分を左開口形成部５１ｃという）。開口５２は、１枚の略直方形状の貼付材に、穴あけ加工により形成される。
【００４９】
そして、貼付材５１は、図３や図５に示すように、冷媒配管７の水平部９の下半面を覆うように（具体的には、第１部８ａの中央よりも右寄りの部分と、第２部８ｂとを覆うように）、冷媒配管７に対して貼り付けられる。このとき、貼付材５１は、開口５２が第２部８ｂに位置するように、かつ、開口５２が、水平部９が延びる方向に直交する方向に細長く延びるように、冷媒配管７に貼り付けられている。
【００５０】
開口５２が第２部８ｂに位置するように貼付材５１を冷媒配管７に貼り付けるのは、すなわち、冷媒配管７の下部に位置する第２部８ｂに開口５２が位置するように貼付材５１を冷媒配管７に貼り付けるのは、結露水が冷媒配管７の下部を伝いやすいためである。つまり、結露水が伝いやすい冷媒配管７の下部に開口５２を位置させることによって、貼付材５１の右側面５１ａと、開口５２を形成する左側面５２ａとを結露水に対する壁とさせるためである。
【００５１】
また、開口５２が第２部８ｂに位置するように貼付材５１を冷媒配管７に貼り付けるのは、すなわち、開口５２が第１部８ａよりも右方に位置するように貼り付けるのは、例え冷媒配管７が電装品ユニット４０の背面側の上方に位置していたとしても、結露水が第１部まで流れてしまうとそこから落下する結露水が電装品ユニットにかかることも考えられるので、結露水を第１部８ａに流れる手前で落下させるためである。
【００５２】
＜結露水の経路＞
以下、冷媒配管７に貼付材５１を貼り付けた場合の結露水の経路について図６〜図８を参照しながら説明する。
【００５３】
まず、結露発生配管３０がその外周空気よりも温度が低くなることにより結露発生配管３０の外面に結露が生じる。そして、図６に示すように、結露発生配管３０で生じた結露水の一部が冷媒配管７の湾曲部１０に落下する。冷媒配管７の湾曲部１０に落下した結露水は、冷媒配管７の外面に沿って左下方へと流れ、水平部９の外面に沿って左方へと流れていく。
【００５４】
そして、水平部９の外面に沿って左方へと流れる結露水は、貼付材５１の右側面５１ａ（すなわち、貼付財５１の厚み部分）に当たることによって流速が低下し、貼付財５１の右側面５１ａ付近で行き止まる。そして、図７に示すように、次々と水平部９の外面に沿って左方へと流れる結露水が貼付材５１の右側面５１ａ付近で行き止まることによって、貼付材５１の右側面５１ａの近傍で大きな水溜りＰ１が生じる。
【００５５】
そして、水溜りＰ１が所定の重量になると、貼付材５１の右側面５１ａの近傍から結露水が下方に落ちていくようになっている。これにより、冷媒配管７の外面に生じる結露水や冷媒配管７の外面に沿って流れる結露水が第１部８ａへと流れることが防止される。したがって、結露水を電装品ユニット４０にかかりにくくすることができる。つまり、貼付材５１の右側面５１ａは、冷媒配管７の外面に生じる結露水や冷媒配管７の外面を伝う結露水にとって、結露水を第１部８ａ側（第１方向の下流側）へと流れにくくする防壁となっている。ここで、貼付材５１は、ポリエチレンから形成されており、濡れ性が低いため、貼付材５１の右側面５１ａの近傍で結露水が合流する水溜りＰ１を生じさせることができ、そして、水溜りＰ１を生じさせることにより、結果として、結露水を下方へと導くことができるようになっている。
【００５６】
しかし、貼付材５１の右側面５１ａが、結露水が第１方向の下流側へと流れることに対する防壁の役割を有していても、結露水が大量である場合等、貼付材５１の右側面５１ａを乗り越えて一部の結露水が第１方向の下流側へと流れることも想定される。但し、貼付材５１の右側面５１ａが結露水に対する第１の防壁となっていることで、結露水の大半は貼付材５１の右側面５１ａの近傍から下方へと落下しているので、貼付材５１の右側面５１ａを乗り越えて第１方向の下流側へと流れる結露水は、貼付材５１の右側面５１ａに当たる結露水よりは少量である。
【００５７】
しかし、この場合であっても、貼付材５１に開口５２が形成されており、開口５２を形成する左側面５２ａ（すなわち、貼付材５１の厚み部分）が、結露水に対する第２の防壁となっていることで、結露水は第１部８ａ側へと流れにくくなっている。つまり、結露水が、貼付材５１の右側面５１ａを乗り越えて右開口形成部５１ｂの外面を伝わり、開口５２を形成する右側面５２ｂを伝わって、冷媒配管７の第２部８ｂの、貼付材５１に開口５２が形成されていることによって貼付材５１に覆われていない部分（以下、開口部８ｃという）を伝ったとしても、開口５２を形成する左側面５２ａに当たることで、開口５２を形成する左側面５２ａ付近で再度行き止まる。そして、図８に示すように、水溜りＰ１と同様に、開口５２を形成する左側面５２ａの近傍で水溜りＰ２ができる。そして、開口５２を形成する左側面５２ａの近傍で数滴の結露水が合流した水溜りＰ２が所定の重量になると、結露水が下方に落ちていくようになっている。
【００５８】
ここで、開口５２が水平部９が延びる方向に直交する方向に細長く延びており、かつ、開口５２の左右方向の幅Ｗが３〜４ｍｍであることにより、結露水が貼付材５１の右側面５１ａを乗り越えて開口部８ｃへと流れたとしても、開口５２を形成する左側面５２ａが第２の防壁となることができる。これにより、開口５２を形成する左側面５２ａの近傍で結露水を合流させ、結露水の水溜りＰ２を生じさせることができるようになっている。また、開口５２の左右方向の幅Ｗが３〜４ｍｍであることにより、貼付材５１の右側面５１ａを乗り越えて左方へと流れていく結露水の流速が貼付材５１よりも右側の領域を流れる結露水のような流速に戻る前に阻止することができる。これにより、貼付材５１の右側面５１ａを乗り越えた結露水が再び開口５２を形成する左側面５２ａを乗り越えにくいようにしている。また、開口５２の左右方向の幅Ｗが３〜４ｍｍであることにより、右開口形成部５１ｂを伝う結露水が開口５２を越えてそのまま左開口形成部５１ｃへと流れるのを防止することができる。よって、結露水は第１部８ａにも流れにくくなっている。
【００５９】
また、ここで、貼付材５１がポリエチレンから構成されており、濡れ性が低いので、貼付材５１の右側面５１ａが防壁となることによってその近傍でできる結露水の水溜りＰ１と、開口５２を形成する左側面５２ａが防壁となることによってその近傍でできる結露水の水溜りＰ２とが結合しないようになっている。これにより、結露水が開口５２を形成する左側面５２ａを越えて左開口形成部５１ｃへと流れないようになり、第１部８ａにも流れにくくなるので、電装品ユニット４０に結露水がかかることを防止することができる。また、貼付材５１の右側面５１ａから開口５２までの長さＬ１（すなわち、貼付材５１の平面視において、右開口形成部５１ｂの左右の長さ）が５ｍｍであることによっても、貼付材５１の右側面５１ａの近傍でできる水溜りＰ１と、開口５２を形成する左側面５２ａの近傍でできる水溜りＰ２とが結合しにくいようになっている。
【００６０】
＜本実施形態に係る空調機１の特徴＞
（１）
本実施形態に係る空調機１では、室外ユニット２の機械室Ｓ２に配置される電装品ユニット４０の背面側であって上方に位置する冷媒配管７の下部に、平面視において上下方向に細長く延びる開口５２が形成される貼付材５１が貼り付けられている。そして、貼付材５１は、開口５２が第２部８ｂに位置するように、かつ、開口５２が第１方向に直交する方向に延びるように、冷媒配管７に貼り付けられている。
【００６１】
これにより、貼付材５１の右側面５１ａが、結露水が第１方向の下流側へと流れることを防止する第１の防壁の機能を有し、開口５２を形成する左側面５２ａが、結露水が第方向の下流側へと流れることを防止する第２の防壁の機能を有する。よって、結露水を、第１部８ａまで流れないように防止することができる。したがって、結露水を電装品ユニット４０にかかりにくくすることができる。
【００６２】
（２）
本実施形態に係る空調機１では、冷媒配管７は電装品ユニット４０の背面側の上方に位置しているので、結露水が冷媒配管７の外面を伝って、第１部８ａまで流れ、そこから下方に落下したとしても電装品ユニット４０にかからないようにも考えられる。しかし、冷媒配管から落下する結露水が他の機器に当たってはねる等して、電装品ユニットにかかることも想定される。しかし、電装品ユニットに結露水がかかることは好ましくない。
【００６３】
そこで、本実施形態では、上述したように、開口５２を冷媒配管７の下部に位置する第２部８ｂに位置するように貼付材５１を冷媒配管７に貼り付けている。
【００６４】
これにより、結露水を第１部８ａへと流れにくくしているので、結果として結露水が電装品ユニット４０にかかることを防止することができる。
【００６５】
（３）
本実施形態に係る空調機１では、冷媒配管７に貼り付けられる貼付材５１に形成される開口５２の平面視における左右方向の幅Ｗは、３〜４ｍｍである。
【００６６】
これにより、開口５２を形成する左側面５２ａが、冷媒配管７の外面を伝う結露水が第１部８ａ側へと流れないようにする防壁として機能することができる。つまり、貼付材５１の右側面５１ａを乗り越えて右開口形成部５１ｂを伝う結露水がそのまま左開口形成部５１ｃへと流れるのを防止している。
【００６７】
また、開口５２の平面視における左右方向の幅Ｗが、３〜４ｍｍであることにより、開口５２を形成する左側面５２ａが、貼付材５１の右側面５１ａを乗り越えた結露水の流速が貼付材５１の右側面５１ａよりも右側の領域を流れる結露水の流速に戻っていく前に阻止する効果を有する。
【００６８】
つまり、貼付材５１の右側面５１ａを乗り越える結露水の流速は、貼付材５１の右側面５１ａに当たったことで、貼付材５１の右側面５１ａよりも右側の領域を流れる流速よりも低下しているが、開口部８ｃを伝う結露水の流速が再度貼付材５１の右側面５１ａよりも右側の領域を流れる結露水のような流速に戻っていくと開口を形成する左側面を乗り越えてしまうことが想定される。そこで、開口５２の平面視における左右方向の幅Ｗを３〜４ｍｍとして、開口５２を形成する左側面５２ａの結露水に対する防壁としての効果を高めるようにしている。
【００６９】
また、本実施形態では、貼付材５１の右側面５１ａから開口５２を形成する右側面５２ｂまでの長さＬ１は、５ｍｍである。
【００７０】
これにより、貼付材５１の右側面５１ａの近傍で冷媒配管７の外面を伝う結露水を合流させて所定の重量の結露水が溜まる前に開口部８ｃへと流れてしまうことを防止することができる。よって、貼付材５１の右側面５１ａの近傍で結露水を合流させて水溜りＰ１を生じさせることができるので、結露水を貼付材５１の右側面５１ａの近傍から下方へと導くことができる。
【００７１】
さらに、本実施形態では、貼付材５１の厚みは３ｍｍである。
【００７２】
これにより、貼付材５１の右側面５１ａを、冷媒配管７の外面を伝う結露水を貼付材５１の右側面５１ａを乗り越えて第１方向の下流側へと流れないようにする防壁として機能させることができる。また、結露水が大量である場合等は、結露水が貼付材５１の右側面５１ａを乗り越えて第１方向の下流側へと流れていくことが想定されるが、貼付材５１の厚みが３ｍｍであることにより、開口５２を形成する左側面５２ａが結露水に対する防壁として機能させることができるので、結露水を、開口５２を形成する左側面５２ａを乗り越えて第１部８ａ側へと流れにくくすることができる。
【００７３】
（４）
本実施形態に係る空調機１では、貼付材５１は、ポリエチレンから構成される。そして、ポリエチレンは、濡れ性が低い。
【００７４】
これにより、貼付材５１の右側面５１ａおよび開口５２を形成する左側面５２ａのそれぞれの近傍で結露水を合流させ、溜めることができる。そして、結露水が溜まって、重量が増えると、その結露水の水溜りＰ１、Ｐ２から結露水が下方へと落下する。
【００７５】
よって、結露水を、貼付材５１の右側面５１ａから第１方向の下流側へと流れさせないようにすることができ、結露水が貼付材５１の右側面５１ａを乗り越えて第１方向の下流側へと流れた場合は、開口５２を形成する左側面５２ａから第１方向の下流側へと結露水を流れさせないようにすることができる。
【００７６】
（５）
本実施形態に係る空調機１では、１枚の貼付材５１を冷媒配管７に貼り付けることによって第１部８ａの手前で結露水を下方へと導くことができるので、簡易な方法であり、かつ、コストを抑えることができる。
【００７７】
＜本実施形態に係る空調機１の変形例＞
（Ａ）
上記実施形態では、貼付材５１に形成される開口５２は１つであると説明したが、本発明はこれに限られるものではなく、開口５２は貼付材５１に２つ以上形成されていてもよい。この場合、隣接する開口５２と開口５２との間は、５ｍｍである。また、このとき、貼付材５１は、複数の開口５２が第１部８ａよりも右側、つまり第２部８ｂに位置するように、冷媒配管７に対して貼り付けられる。
【００７８】
この場合、もし、結露水が開口５２を形成する左側面５２ａを越えて、第１方向の下流側へと流れたとしても、再度開口５２を形成する左側面５２ａが結露水に対する第３の防壁となることによって、その開口５２を形成する左側面５２ａの近傍でできる結露水の水溜りから水滴が下方に落ちるようになる。
【００７９】
よって、結露水を電装品ユニット４０にかからないようにする効果がより高まる。
【００８０】
（Ｂ）
上記実施形態では、貼付材５１の厚みは、３ｍｍであると説明したが、貼付材５１の厚みは、３ｍｍを超えてもよい。
【００８１】
貼付材５１の厚みが３ｍｍを超える場合は、結露水に対する壁の高さが高くなるので、結露水を電装品ユニット４０にかからないようにする効果がより高まる。
【００８２】
（Ｃ）
上記実施形態では、貼付材５１は、冷媒配管７の下半面を覆うように冷媒配管７に対して貼り付けられていると説明したが、本発明はこれに限られるものではなく、開口５２が第２部８ｂに位置していれば、貼付材５１が冷媒配管７の下半面を覆っていなくてもよい。
【００８３】
（Ｄ）
上記実施形態では、冷媒配管７は、水平方向に延びる水平部９を有すると説明したが、この水平部９は、水平面に対して上方に傾いていてもよい。
【００８４】
例えば、貼付材５１の厚みが３ｍｍで、貼付材５１に１つの開口５２が形成されている場合は、冷媒配管７の水平部９は、水平面に対して４５°まで傾いていてもよい。また、例えば、貼付材５１の厚みが３ｍｍを超えており、貼付材５１に２つ以上の開口５２が形成されている場合は、冷媒配管７の水平部９は、水平面に対して４５°以上傾いていてもよい。
【００８５】
なお、上述のような場合、湾曲部１０も水平部９と同様に傾く。
【００８６】
（Ｅ）
上記実施形態では、開口５２の平面視における左右方向の幅Ｗは、３〜４ｍｍであると説明したが、４ｍｍを超えて６ｍｍ以下までであってもよい。また、上記実施形態では、貼付材５１の右端から開口５２を形成する右側面５２ｂまでの長さＬ１は、５ｍｍであると説明したが、３〜６ｍｍの間であればよい。
【００８７】
（Ｆ）
上記実施形態では、冷媒配管７は、電装品ユニット４０の背面側の上方に位置していると説明したが、本発明はこれに限られるものではなく、電装品ユニット４０の上方に冷媒配管７が位置していてもよい。
【００８８】
この場合であっても、開口５２が第２部８ｂに位置するように貼付材５１を冷媒配管７に貼り付ければ、上記実施形態と同様の効果が得られる。
【００８９】
（Ｇ）
上記実施形態では、結露が発生するのは配管であると説明したが、本発明は、配管に限られるものではなく、機器であってもよい。
【００９０】
また、結露が発生する配管は、冷媒配管７の湾曲部１０の上方に配置されているとのみ説明したが、結露が発生する配管は、冷媒配管７に（具体的には、冷媒配管７の湾曲部１０の上端部に）接続されていてもよい。
【００９１】
例えば、低圧の冷媒が流れる配管が冷媒配管７に四路切換弁２３を介して接続されている場合であって、低圧の冷媒が流れる配管が、冷媒配管７の湾曲部１０の上方に位置するような場合、低圧の冷媒が流れる配管の外面に生じる結露水は、四路切換弁２３を伝って冷媒配管７の湾曲部１０を伝うことになり、上記実施形態と同様、第１方向の下流側へと流れていくことになる。
【００９２】
（Ｈ）
上記実施形態では、第１部８ａと第２部８ｂとは少なくとも２〜３ｍｍ離れていると説明したが本発明はこれに限られず、例えば、図９に示すように、第１部８ａと第２部８ｂとは隣接した構成であってもよい。但し、この場合、開口５２ａは第１部８ａから少なくとも２〜３ｍｍ離れている必要がある。
【００９３】
（Ｉ）
上記実施形態では、冷媒配管７は、水平部９と、湾曲部１０とを有すると説明したが、冷媒配管７は、この形状に限られるものではない。
【００９４】
（Ｊ）
上記実施形態では、空調機１に限定して説明したが、本発明はこれに限られるものではない。例えば、ヒートポンプ式の給湯器であってもよい。
【産業上の利用可能性】
【００９５】
本発明では、冷凍装置の室外ユニットにおいて、電装品ユニットに結露水がかかるのを防止することができるので、有用である。
【符号の説明】
【００９６】
２  室外ユニット
７  冷媒配管（配管）
８ａ  第１部
８ｂ  第２部
４０  電装品ユニット
５１  貼付材
５１ａ  貼付材の右側面（貼付材の第１方向の上流側の側面）
５２  開口
５２ａ  開口を形成する左側面（開口を形成する内側面）
Ｌ１  貼付材の右側面から開口を形成する右側面までの長さ（貼付材の第１方向の上流側の側面から開口までの長さ）
Ｗ  開口５２の左右方向の幅（開口の第１方向の幅）
【先行技術文献】
【特許文献】
【００９７】
【特許文献１】特開２００８−１３８９４１号公報
【図１】
2010276314.tif 000003
【図２】
2010276314.tif 000004
【図３】
2010276314.tif 000005
【図４】
2010276314.tif 000006
【図５】
2010276314.tif 000007
【図６】
2010276314.tif 000008
【図７】
2010276314.tif 000009
【図８】
2010276314.tif 000010
【図９】
2010276314.tif 000011